Podtech/llm-jp-corpus-v4-ja_patent huggingface dataset:
(57)【要約】   【課題】  歯の表面の汚れ、歯間の汚れ、歯茎と歯の間の汚れな複数の汚れを除去するための粗磨き・仕上げ磨き歯ブラシセットを提供。  【解決手段】  歯の表面の強い汚れに向いた粗磨き用歯ブラシ、歯間、歯と歯茎の間の汚れ、歯茎の汚れの除去に向いた仕上げ磨き用歯ブラシを備えた粗磨き・仕上げ磨き歯ブラシセットであって、歯の表面の汚れに向いた強めの歯ブラシで磨いた後、仕上げに向いた細めの歯ブラシで磨くことで、歯の表面から歯茎までの全体の汚れを除去することを特徴とする。  【選択図】  図２
0003133634.tif 000002
【実用新案登録請求の範囲】
【請求項１】
粗磨き用歯ブラシ、仕上げ磨き用歯ブラシを備えたことを特徴とする粗磨き・仕上げ磨き歯ブラシセット。
【請求項２】
上記粗磨き・仕上げ磨き歯ブラシセットにおいて、歯ブラシ立て台を設けたことを特徴とする請求項１記載の粗磨き・仕上げ磨き歯ブラシセット。
【考案の詳細な説明】
【技術分野】
【０００１】
本考案は、粗磨き用歯ブラシ、仕上げ磨き用歯ブラシを備えたことを特徴とする粗磨き・仕上げ磨き歯ブラシセット及び歯ブラシ立て台に関するものである。
【背景技術】
【０００２】
従来、歯ブラシは、一本を使うことが長い間の一般的生活習慣である。しかし、歯の汚れには、歯の表面の汚れ、歯間の汚れ、歯茎と歯の間の汚れ、歯茎の汚れなど、数種類の汚れがあり、複数の汚れを一つの歯ブラシの機能で取り除くことは容易でない。
【０００３】
一方、現在、流通している歯ブラシは、いろいろと工夫されているものの、一本使用を念頭に作られており機能には限界がある。強めの歯ブラシは、歯の表面の汚れの除去には向いているものの、歯間や歯と歯茎の隙間の汚れの除去には向いていない。細めの歯ブラシは、歯間や歯と歯茎の隙間の汚れの除去には向いているが、歯の表面の強い汚れには向いていない。
【０００４】
実用新案登録されている歯ブラシセットに、スピード歯ブラシセット（特許文献１）、デンタルフロス入り歯ブラシセット（特許文献２等）等があるが、いずれも本考案の課題解決とは異なる課題のためのものである。
【特許文献１】登録実用新案第３０１０３０６号  スピード歯ブラシセット
【特許文献２】登録実用新案第３１１６５８５号  デンタルフロス入り歯ブラシセット
【考案の開示】
【考案が解決しようとする課題】
【０００５】
上述の如く、従来、歯ブラシは、主に一本を使用することが習慣となっているが、次のような問題点がある。
（イ）強めの歯ブラシは、歯の表面の強い汚れの除去には向いているが、歯間や歯と歯茎の間の汚れの除去には向いていない。
（ロ）細めの歯ブラシは、歯間や歯と歯茎の間の汚れの除去には向いているが、歯の表面の強い汚れの除去には向いていない。
本考案は以上の問題点を解決することを課題とする。
【課題を解決するための手段】
【０００６】
上述の課題を解決する本考案は、歯の表面の強い汚れの除去に向いている強めの歯ブラシと、歯間や歯と歯茎の間の汚れの除去に向いている細め、あるいは極細の歯ブラシを備えている。最初に歯の表面の汚れに向いた強めの歯ブラシで磨いた後に、歯間、歯と歯茎の間の汚れに向いた仕上げ用の細めの歯ブラシで磨くことで、歯の表面から歯茎までの全体の汚れを除去することを特徴とする。
【考案の効果】
【０００７】
本考案は、上記の課題を解決するために成されたものであり、次の効果が得られる。
【０００８】
（ア）歯の表面の強い汚れを除去するとともに、歯間や歯と歯茎の間の汚れをも除去することができる。
（イ）歯磨き後、汚れ除去によるすっきり感を得ることができる。
【考案を実施するための最良の形態】
【０００９】
以下、本考案の形態について、図面に基づいて説明する。
【００１０】
歯の表面の強い汚れを除去するための粗磨き用歯ブラシ１と、歯間や歯と歯茎の間の汚れ、歯茎の汚れの除去のための仕上げ用歯ブラシ２をセットにする。
【００１１】
粗磨き用歯ブラシ１の粗磨きブラシ３は、歯の表面の強い汚れに向いた強めのブラシを使用し、仕上げ用歯ブラシ２の仕上げブラシ４は、歯間や歯と歯茎の間の汚れの除去に向いた細め、または極細のブラシ等を用いる。
【００１２】
二つの歯ブラシを機能的に利用するために、歯ブラシ立て台５を設け、歯ブラシ受け穴６で、両歯ブラシを保管する。
【００１３】
歯ブラシ立て台５は、置いて利用するほか、吸盤、接着テープ等で、壁に固定できるようにする。
【産業上の利用可能性】
【００１４】
歯ブラシをセットにして複数持つことの機能性を周知させることで、普及していくものと考える。
【図面の簡単な説明】
【００１５】
【図１】粗磨き・仕上げ磨き歯ブラシセットの全体の斜視図
【図２】歯ブラシ立て台にセットした粗磨き・仕上げ磨き歯ブラシセットの全体の斜視    図。
【符号の説明】
【００１６】
１粗磨き用歯ブラシ
２仕上げ磨き用歯ブラシ
３粗磨きブラシ
４仕上げブラシ
５歯ブラシ立て台
６歯ブラシ受け穴
【図１】
0003133634.tif 000003
【図２】
0003133634.tif 000004
(57)【要約】      （修正有）【課題】狭い空間域での破砕作業に好適な機器を提供する。【解決手段】車輪２，２´で支持した車体基枠３の後端に手押しハンドル４を立設して成る台車体１の前記車体基枠３に昇降装置によって昇降する機台５を設け、該機台５に設けたターンテーブル６上に支え板を立設する。そして、該支え板に角度調節自在に組付けた支持アーム８の先端に破砕機１３を設ける。昇降装置１２をシリンダによって上下方向に伸縮するリンク機構で構成する。【選択図】図１
0003133642.tif 000002
【実用新案登録請求の範囲】
【請求項１】
車輪で支持した車体基枠の後端に手押しハンドルを立設して成る台車体の前記車体基枠に、昇降装置によって昇降する機台を設け、該機台に設けたターンテーブル上に破砕機を設けた、破砕作業機。
【請求項２】
ターンテーブル上に支え板を立設し、該支え板に角度調節自在に組付けた支持アームの先端に、破砕機を設けた、請求項１記載の破砕作業機。
【請求項３】
昇降装置をシリンダによって上下方向に伸縮するリンク機構で構成した、請求項１又は２記載の破砕作業機。
【考案の詳細な説明】
【技術分野】
【０００１】
本考案は、建物等のコンクリート構築物の解体作業時に鉄筋コンクリートを破砕するために用いる小型破砕作業機に関するものである。
【背景技術】
【０００２】
キャタピラーによって走行する作業機にアームを設け、該アームの先端に破砕機を取付けて構成したものが一般である（例えば、特許文献１）。
【０００３】
【特許文献１】特開２００５−４２４０４号公報
【考案の開示】
【考案が解決しようとする課題】
【０００４】
前記従来構造のものは、移動装置としてキャタピラーを利用しているため、大型となり、破砕作業に広い空間を確保する必要があり、密集地における破砕作業や建物内の部分的な破砕作業に用いるには適当でない。
【０００５】
本考案は、このような従来例の欠点に着目し、狭い空間域での破砕作業に用いるに好適な機器を提供することを目的として考案したものである。
【課題を解決するための手段】
【０００６】
車輪で支持した車体基枠の後端に手押しハンドルを立設して成る台車体の前記車体基枠に、昇降装置によって昇降する機台を設け、該機台に設けたターンテーブル上に破砕機を設けたことを基本的手段とし、この基本的手段に、ターンテーブル上に支え板を立設し、該支え板に角度調節自在に組付けた支持アームの先端に破砕機を設けた点を、付加する事により広範囲の破砕作業を行うことができ、さらに、昇降装置をシリンダによって上下方向に伸縮するリンク機構で構成することにより場所を取らない昇降操作を行え、延いては狭い空間域での破砕作用に好適な破砕作業機を提供できる。
【考案の効果】
【０００７】
本考案によれば、手押しハンドルによる台車体の移動によって所要位置に移動するものであるから、建物内の狭い空間域においても（例えば、エレベーターを利用する等）自在に移動してコンクリート体の破砕作業を行うことができ、昇降装置によって高さ調節自在に、ターンテーブルによって方向調節自在にして破砕機を配することもできるので、破砕作業を円滑に行うことができる。
【実施例】
【０００８】
図面は本考案に係る破砕作業機の一実施例を示し、図１は正面図、図２は平面図である。
【０００９】
図中、１は台車体で、台車体１は、前方側の一対の自在車輪２，２と後方側の一対の固定車輪２´，２´で受支した車体基枠３の後端に門構え状の手押しハンドル４を立設して構成し、手押しハンドル４を操作することによって各車輪２，２´を転動させ、目的の場所へ自在に移動するようにしたものである。
【００１０】
この台車体１の前記車体基枠３上にはシリンダ（図示省略）によって上下方向に伸縮するリンク機構から成る昇降装置１２を介して機台５を装置し、該機台５に設けたターンテーブル６上に一対の支え板７，７を立設し、該支え板７，７に支持アーム８を、基部において支軸９で揺動自在に組付けてある。
【００１１】
相対する前記支え板７，７には前記支軸９を中心とする円周上に調節孔１０，１０，１０，１０を並べて設け、任意のこの調節孔１０と前記支軸９との離開距離と、前記支軸９からの距離が動距離になるように位置するようにして前記支持アーム８にピン孔１１を設けてある。
【００１２】
前記支持アーム８は、このピン孔１１と該ピン孔１１に一致させた前記調節孔１０，１０，１０，１０中の任意のものにピン１６を係合することによって傾斜角度を段階的に設定できるようにしてある（実施例では４段階）。
【００１３】
支持アームの上端部には破砕機１３を設け、破砕機１３は、前記機台４に設けた油圧ユニット１４と連けいして破砕刃１３ａ，１３ａが開閉し、コンクリート体を破砕する。
【００１４】
しかして、手押しハンドル４を操作して、例えば建物内の作業現場に移動し（実施例のものは、宅配便の搬送具として利用されている所謂手押し台車の大きさのものを利用するものでエレベータ内への持ち込みもできるようになっている）、昇降装置５によって適宜の高さに設定する一方、支軸９を中心に支持アーム８を揺動させて傾斜角度を決めてピン１２を調節孔１０等に係合させて当該傾斜角度を維持させて、破砕機１３を作動させると破砕刃１３ａ，１３ａ間に介在させたコンクリート体は、該破砕刃１３ａ，１３ａの開閉動作により破砕され、破砕機は次段のコンクリート（破砕用）部に昇降装置や角度調節装置を利用して破砕機１３を位置させ、破砕作業を行うのである。
【図面の簡単な説明】
【００１５】
【図１】正面図。
【図２】平面図。
【符号の説明】
【００１６】
１          台車体
２，２´    車輪
３          車体基枠
４          手押しハンドル
５          機台
６          ターンテーブル
７          支え板
８          支持アーム
１２        昇降装置
１３        破砕機
【図１】
0003133642.tif 000003
【図２】
0003133642.tif 000004
(57)【要約】      （修正有）【課題】遠赤外線放射岩盤浴器は、岩石は敷くだけで入浴時の横臥体位では下面からの遠赤外線効果しか得られず、上面からは岩石は掛けれず効果が薄い。岩石は、重量もあり、取り外し、移動も難儀であり、制作費もかさむ。これらの問題を解決する。【解決手段】遠赤外線放射綿からなる下側シート１０と、その下側シートに面して温風袋４と、その温風袋に接して遠赤外線放射綿を重ねた上側シート１からなることを特徴とする遠赤外線放射岩盤浴器とし、硬い岩石をソフトに改良した遠赤外線放射綿を岩石に変え素材として使用する。この素材の綿とは、遠赤外線放射岩石を砕きパウダー粉末にし、これをポリエステルと練り合わせて造られた綿があり、効能的にも岩盤と何ら変わりない。【選択図】図１
0003133601.tif 000002
【実用新案登録請求の範囲】
【請求項１】
遠赤外線放射綿からなる下側シートと、その下側シートに面して温風袋と、その温風袋に接して遠赤外線放射綿を重ねた上側シートからなることを特徴とする遠赤外線放射岩盤浴器。。
【考案の詳細な説明】
【技術の分野】
【０００１】  本考案は、遠赤外線放射効果を有する岩盤浴器の改良を図ったことに関する。
【背景技術】
【０００２】  従来の岩盤浴器は、岩石から遠赤外線を放射する岩石を硬い岩盤の儘、素材として採用している。【０００３】  岩盤は、入浴時の横臥体の下に敷いて使用するので体の下面からのみしか遠赤外線放射効果は得れないし、石は硬くて使用中違和感がある。【０００４】  岩盤は体の上に乗せることはできないので横臥体の上面に遠赤外線放射効果を直接受けることはできない。【０００５】  素材の岩石は重量もあり、柔軟性がないので、製作費用の多く要し、取り付け、移動に不便性がある。【０００６】
【特許文献１】  実用新案登録第３１１６５５８号
【考案の開示】
【考案が解決しようとする課題】
【０００７】  以上に述べた従来の遠赤外線放射岩盤浴器では、遠赤外線放射岩石を岩石の儘、素材として使用し製作している為、使用時の横臥位置の状態では、下面のみしか遠赤外線効果を直接に得れない。【０００８】  使用中に岩盤が硬くて違和感がある。【０００９】  石は横臥体位で上に乗せられないので、使用時に体の上面に遠赤外線放射効果を直接に受けること出来ない。【００１０】  素材の岩石は重量もあり、制作費も多く要し、設置、移動に不便性がある。【００１１】  本考案は、このような従来の遠赤外線放射岩盤浴器の構成が有していた欠点の問題を解決し、機能性、効果性、を高め、製作コストを下げれるよう改良する事を目的としたものである。
【課題を解決するための手段】
【００１２】
【００１３】  遠赤外線放射綿からなる下側シートと、その下側シートに面して温風袋と、その温風袋に接して遠赤外線放射綿を重ねた上側シートからなることを特徴とする遠赤外線放射岩盤浴器とし、上記目的を達成するために、硬い岩石をソフトに改良した遠赤外線放射綿を岩石に変え素材として使用する。【００１４】  この素材の綿とは、遠赤外線放射岩石を砕きパウダー粉末にし、これをポリエステルと練り合わせて造られた綿があり、岩盤をソフトな綿にしただけで効能的にも岩盤と何ら変わりない。【００１５】  遠赤外線放射綿は、クラレ社からクラレロンウエーブ綿の商品名で開発済みである。【００１６】  上記０００７の課題は、綿を入浴時の横臥体位に上から掛けるように覆うので敷きの綿と掛けの綿で全身を包み遠赤外線放射を多く受けれる。【００１７】  上記０００８の課題は、使用中の岩盤が硬い点の使用中の違和感は、ソフトな綿を素材にしてあり、解消された。【００１８】  遠赤外線放射効果は体に接していなくては効果性が薄れる。綿を素材にすることによって綿が全身に密着するため、その課題も解消される。【００１９】  上記００１０の課題は、綿の素材は、軽く、柔軟性があるため設置、移動も簡単であり、製作コストもさげれるので、この点も改善される。
【考案の効果】
【００２０】  以下、本考案の実施の形態を図１に基つ゛いて説明する。【００２１】  図は、敷き、掛けの上下の寝具布団の形態であり、掛け布団の綿を遠赤外線放射綿にし、敷き布団の綿も上と同じくした。上下の布団の中に横臥して使用効果を得る。【００２２】  ２は、掛け布団の綿であり、その上に３の断熱シートを置き布団内の温度を外へ出るのを防ぐ。【００２３】  ４は、温風袋であり、ここから布団内に温風が入り布団内を温める。【００２４】  ８は、温風器であり，温風を造る。【００２５】  ７は、送風管であり、８の温風は、ここを通って温風袋に送られる。。【００２６】  １は、防水布であり、この掛け布団をカバーとして包む。【００２７】  ９は、入浴者である。【００２８】  １１は、敷き布団の遠赤外線放射綿である。【００２９】  １２は、敷きの断熱シートであり、下への断熱をしている。【００３０】  １０は、防水布であり、敷き布団を包むカバーである。【００３１】  以下、上記構成の動作を説明する。綿は岩盤を工夫してソフトにしたものであり、この上下の綿で全身を包むかたちで遠赤外線を多く受け、上下の布団の中に温風を送り込み、温風を止めれば、布団そのものとなり、入浴が終わったら、そのまま布団として就寝出来る。綿は軽く設置も移動も簡単であり、布団を敷いて温風器袋に温風を送るだけである。
【産業上の利用の可能性】
【００３２】  上記のように本考案の岩盤浴器の改良器は、従来のものに比べ、硬い岩石に変え岩石から工夫して柔らかい綿に改良したものを素材にし、岩石では解決しなかった欠点を解決し、従来の岩盤浴器の価値を高めたので社会的利用の可能性を大きくした。
【図面の簡単な説明】
【００３３】
【図１】  本考案の岩盤浴器の改良器の断面図である。
【符号の説明】
【００３４】  １  掛け布団の包みカバーで防水布地質。
２  掛け布団の遠赤外線放射綿。
３  掛け布団の断熱シート。
４  温風袋。
５  温風受け入れ取り付け。
６  送風管取り付け口。
７  送風管。
８  送風器。
９  入浴者で仰向きの横臥体位。
１０  敷き布団の包みカバーで防水布地質。
１１  敷き布団の遠赤外線放射綿。
１２  敷き布団の断熱シート。
【図１】
0003133601.tif 000003
(57)【要約】  本考案は、衣類圧縮吸引装置を旅行先等でも使用できる。携帯用衣類圧縮吸引装置である。【課題】  本考案は、旅行先で衣類等を購入した際に荷物が増えても鞄の中に多くの衣類が入れるのに役立つ衣類圧縮吸引装置である。【解決手段】  鞄等に衣類等を収納する際により多くの衣類等を鞄に収納できる様、市販されているビニール袋に入れて使用する。【選択図】図２
0003133609.tif 000002
【実用新案登録請求の範囲】
【請求項１】
鞄等に入れる衣類等をビニール袋に入れ圧縮吸引する事で荷物をより多く収納する事が出来る衣類圧縮吸引装置である。
【考案の詳細な説明】
【技術分野】
【０００１】  本考案は、鞄等に入れる衣類をビニール袋に入れ圧縮吸引する装置である。
【背景技術】
【０００２】  鞄等の容積は、鞄の大小で違うが、入れる量は限られる。旅行等で荷物が増えた場合には、別の鞄を購入する必要があった。
【考案の開示】
【考案が解決しようとする課題】
【０００３】  本考案は、前述した従来の方法では、別の鞄等を購入する必要があったが、衣類等圧縮吸引装置を使用することで、その欠点を解決するものである。
【課題を解決しようとする手段】
【０００４】  本考案は、衣類等をビニール袋に入れて圧縮吸引装置のプラグを電気コンセントに差込スイッチをオンにするだけで、ビニール袋の中の空気が無くなり圧縮され要因に多くの衣類等が収納できる。また、変圧器を使用することで海外でも使用可能。鞄の容積が増える。
【考案効果】
【０００５】  上述の様に、衣類圧縮吸引装置を携帯する事で旅行先の荷物が増えても別に鞄を増やすことが無くなる。
【実施例】
【０００６】  以下、添付図面に従って一実施例を説明する。衣類圧縮吸引装置を衣類の入ったビニール袋に付けて圧縮吸引装置のプラグをコンセントに差込電源を入れる事で衣類等が圧縮吸引され鞄等により多くの衣類等が入れられる。
【図面の簡単な説明】
【０００７】
【図１】衣類圧縮吸引装置本体
【図２】衣類圧縮吸引装置本体、カバーと吸引するノズル
【符号の説明】
【０００８】  １  本体ノズル
２  ファン
３  モーター
４  電源コード１
５  スイッチ
６  電気コード２
７  プラグ
８  カバー
９  排気口
１０  ノズルを差し込む口
１１  延長ノズル
【図１】
0003133609.tif 000003
【図２】
0003133609.tif 000004
(57)【要約】【課題】球をバットのうまい位置でとらえられなければ空振りや打ち損じをしてしまうバッティング機構により、野球ゲーム盤においても、実際の野球におけるような投打の駆け引きの醍醐味を実現する。【解決手段】野球ゲーム盤用のバット１の下面の一部に打球用突起２を設け、打球用突起２以外の箇所では球がバット１の下を通過してしまう高さにバット１のスイング面を保持し、バット回転軸３の位置を動かすことにより打球用突起２がスイング時にホームベース５上を通過する位置を打撃側遊技者が任意に変えることが可能な構造を有するバッティング機構とする。打撃側遊技者は、投球の球筋に対応し、バット回転軸３の位置を適切にコントロールして球をうまく打球用突起２でとらえなければ、空振りや打ち損じをしてしまうことになる。【選択図】図１
0003133607.tif 000002
【実用新案登録請求の範囲】
【請求項１】
野球ゲーム盤用のバットの下面の一部に打球用突起を設け、打球用突起以外の箇所では球がバットの下を通過してしまう高さにバットのスイング面を保持し、バット回転軸の位置を動かすことにより打球用突起がスイング時にホームベース上を通過する位置を打撃側遊技者が任意に変えることが可能な構造を有する野球ゲーム盤用バッティング機構。
【考案の詳細な説明】
【考案の開示】
【考案が解決しようとする課題】
【０００１】従来の野球ゲーム盤のバッティング機構では、投球のコースや、直球、変化球などの球種の違いにかかわらず、バットが届く範囲に転がって来た球はすべてバットに当たってしまうため、投球側遊技者が投球のコースや球種を投げ分けることの効果が乏しく、野球の魅力の大きな要素である投打の駆け引きの醍醐味が味わえなかった。投球のコースや球種を投げ分けることに意味を持たせ、投打の駆け引きを成立させるためには、球をバットのうまい位置でとらえられなければ空振りや打ち損じをしてしまうバッティング機構が必要である。
【課題を解決するための手段】
【０００２】当考案では、バット１の下面の一部に打球用突起２を設け、バット１を野球ゲーム盤面４から浮かせ、そのスイング面を打球用突起２以外の箇所では球がバットの下を通過してしまう高さに保持することにより、球をうまく打球用突起２でとらえられなければ空振りや打ち損じをする状況を作り出す。また、バット回転軸３の位置をホームベース５に近い位置から遠い位置まで動かせる機構とすることにより、球筋の違いに対応して、打撃側遊技者が打球用突起２のホームベース５上の通過位置を自由に変えることを可能にする。
【考案の効果】
【０００３】球をうまく打球用突起２でとらえないと空振りや打ち損じをするバッティング機構の効果により、投球側遊技者にとっては、球を内外角に投げ分けたり変化球を織り交ぜたりすることが効果を持つことになり、また打撃側遊技者にとっては、球をうまく打球用突起２でとらえるために相手の投球に応じてバット回転軸３の位置を適切にコントロールすることが重要になる。これにより、従来の野球ゲーム盤には乏しかった、投打の駆け引きの醍醐味が実現することになる。
【図面の簡単な説明】
【０００４】
【図１】バット下面の打球用突起、および打球用突起以外の箇所では球がバットの下を通過してしまう野球ゲーム盤面とバットのスイング面との距離関係を示した図である。
【図２】バット回転軸の位置が不適切で、転がってくる球を打球用突起でうまくとらえることができずに球がバット下を素通りし、空振りしてしまう状況を示した図である。
【図３】バット回転軸の位置が適切で、転がってくる球を打球用突起でうまくとらえることに成功する状況を示した図である。
【符号の説明】
【０００５】１  バット
２  打球用突起
３  バット回転軸
４  野球ゲーム盤面
５  ホームベース
【図１】
0003133607.tif 000003
【図２】
0003133607.tif 000004
【図３】
0003133607.tif 000005
(57)【要約】      （修正有）【課題】段ボールシートとのグリップ力を強め、インクの消費量、及び印版体の材料使用量を削減する。【解決手段】送り版の版面画像部の形状を、小径の丸型等が等間隔で一列に配し、その版面支持体を、流線形とし、各々の間に隙間を設けた。版胴の回転時に発生する空気流を版面支持体の形状により印版中心部から外側へ流すことによりチリや紙粉の排除となる。等々、段ボール製品精度の向上と資源の有効利用に寄与するものである。【選択図】図２
0003133603.tif 000002
【実用新案登録請求の範囲】
【請求項１】
段ボール等の印刷加工時に使用する、送り版の版面（画像部）を小径の丸型等とし、等間隔で一列に配した印版体。
【請求項２】
段ボール等の印刷加工時に使用する、送り版の版面支持体（土台部）の形状を独立した流線形とし、それらの間に空気流の排出流路となる隙間を設けた印版体。
【考案の詳細な説明】
【技術分野】
【０００１】本考案は、段ボール等の印刷加工時に使用する送り版に関する。
【背景技術】
【０００２】従来、段ボールケース等の印刷加工時に於て平状の段ボールシートが、輪転機等の工程を平行に、かつスムーズに次へ送られる様、印刷版の端部（余白部）に直線状の送り帯版を使用している。（図１▲１▼▲２▼）
【考案の開示】
【考案が解決しようとする課題】
【０００３】しかし、これでは
・段ボールシートとのグリップ力が弱くスリップし易い。
・画像部の面積が広い為、インクの消費量が多い。
・送り帯版の材料使用量が多く、かつ重い。
・余白部に送り帯版で印刷された直線ベタ画像は単なる汚れとなっている。
・印刷中に印刷部に入り込んたチリや紙粉を、送り帯版が堤となりその中へとじ込めてしまい、印刷の汚れとなり易い。
・版胴に丸く巻いた時、反発復元力が強い為、整版フィルムから送り帯版が剥がれ易い。
【課題を解決する為の手段】
【０００４】そこで送り版の形状を
・版面画像部を小径の丸型等が等間隔で直線状に一列に並んだ形にする。（図２）
・版面支持体を、独立した流線形にし、それらの間に隙間を設け輪転機の高速回転時に発生する空気流を、印版中心部から外側へ排出される形状にする。（図２）
【考案の効果】
【０００５】よって、本考案の送り版の構造により、
・段ボールシートとのホールド性が高められシートの傾きやスリップを解消する。
・画像部面積の縮小によりインクの消費量を削減できる。
・当該印版の材料使用量が削減され、かつ軽量化される。
・余白部に送り版による印刷された画像を、印刷位置の確認及び多色刷りの位置合わせ画像として活用できる。
・輪転機の回転時に発生する空気流を版面支持体の構造により印版の中心部から外側へ向ける事により、チリや紙粉を排出し、印刷の汚れを防止する。
・版面支持体部分が隙間を設けて分離している事により、版胴に巻きつけた時、その反発復元力が弱く、整版フィルムから送り版が剥がれ難い。
【考案を実施する為の最良の形態】
【０００６】本考案に係る送り版は図２に示すように画像部は小径の丸型等が等間隔で一列に並んでおり、画像部の支持体（土台）部分は、各々分離した流線形とし、輪転機の回転時に発生する空気流を印版中心部から外側へ向けられるように形成され、チリや紙粉を排出するものである。（左右対称の形となる。）
素材は、印刷の印版と同様、弾力性の有る樹脂や合成ゴム等で形成される。
【図面の簡単な説明】
【０００７】
【図１】▲１▼従来の送り帯版の全体図である。▲２▼同上の断面図である。
【図２】▲１▼本考案の送り版の全体図である。▲２▼同上の断面図である。▲３▼同上の上から見た平面図である。▲４▼印刷機の版胴にセットした図である。
【符号の説明】
【０００８】      ア    版面画像部
イ    版面支持体
ウ    ベースフィルム
エ    整版フィルム
オ    版胴
▲ａ▼  版胴の回転方向
▲ｂ▼  空気流の向き
▲ｃ▼  当該送り版
【図１】
0003133603.tif 000003
【図２】
0003133603.tif 000004
(57)【要約】【課題】  従来、衣類干しハンガーは、下着類を人の目に触れない様に、隠し干し出来る構造になっていない。以上のような欠点をなくすために、隠し干し用洗濯物干しハンガーを提供する。【解決手段】  衣類干しハンガー（１）に複数個の洗濯バサミ（２）を下げて、衣類の中に下着類を隠して干せる事を特徴とする。【選択図】図１
0003133606.tif 000002
【実用新案登録請求の範囲】
【請求項１】
複数個のハンガーが、並列につながっている洗濯物干しハンガーにおいて、各ハンガーの下部に複数個の洗濯バサミを設けた、隠し干し用洗濯物干しハンガー。
【考案の詳細な説明】
【技術分野】
【０００１】  この考案は、複数個のハンガーが並列につながっている洗濯物干しハンガーにおいて、各ハンガーの下部に複数個の洗濯バサミを設けた、隠し干し用洗濯物干しハンガーに関するものである。
【背景技術】
【０００２】  従来、複数個のハンガーが並列につながっている洗濯物干しハンガーは、色々なデザインを凝らした製品が生産、使用されていて、多くの衣類が干せる様になっている。
【考案の開示】
【考案が解決しようとする課題】
【０００３】  これは次のような問題点があった。
人の目に触れない様に下着類を干せる構造になっていない。また、小物類も干せない。
本考案は、以上のような欠点をなくすためになされたものである。
【課題を解決するための手段】
【０００４】  複数個のハンガーが並列につながっている洗濯物干しハンガーにおいて、各ハンガーの下部に複数個の洗濯バサミを設ける。
以上の構造よりなる、隠し干し用洗濯物干しハンガーである。
【考案の効果】
【０００５】  ハンガーに干している衣類の中に、下着類を洗濯バサミにはさんで干す事が出来るので、人の目に触れなくなる。また、小物等も干す事が出来る。
【考案を実施するための最良の形態】
【０００６】  以下、本考案の実施例について説明する。
複数個のハンガーが並列につながっている洗濯物干しハンガーにおいて、各ハンガーの下部に複数個の洗濯バサミを設ける。
本考案は、以上のような構造で隠し干しが出来る。
【図面の簡単な説明】
【０００７】
【図１】本考案の斜視図である。
【符号の説明】
【０００８】      １  ハンガー
２  洗濯バサミ
【図１】
0003133606.tif 000003
【手続補正書】
【提出日】平成19年5月1日(2007.5.1)
【手続補正１】
【補正対象書類名】実用新案登録請求の範囲
【補正対象項目名】全文
【補正方法】変更
【補正の内容】
【実用新案登録請求の範囲】
【請求項１】
衣類干しハンガーに複数個の洗濯バサミを下げた、隠し干し用洗濯物干しハンガー。
【手続補正書】
【提出日】平成19年5月1日(2007.5.1)
【手続補正１】
【補正対象書類名】明細書
【補正対象項目名】全文
【補正方法】変更
【補正の内容】
【考案の詳細な説明】
【技術分野】
【０００１】  この考案は、衣類干しハンガーに複数個の洗濯バサミを下げた、隠し干し用洗濯物干しハンガーに関するものである。
【背景技術】
【０００２】  従来、衣類干しハンガーは、複数の衣類干しハンガーが並列につながっている物や単品の物があり、色々なデザインを凝らした製品が生産使用されている。しかし、衣類干しハンガーに複数個の洗濯バサミを下げ、隠し干しを目的とした物はなかった。
【考案の開示】
【考案が解決しようとする課題】
【０００３】  これは次のような問題点があった。
たくさんの下着類を干せる構造になっていない。
本考案は、以上のような欠点をなくし、隠し干し出来る構造にしようと考えた。
【課題を解決するための手段】
【０００４】  衣類干しハンガーに複数個の洗濯バサミを下げる。
以上の構造よりなる、隠し干し用洗濯物干しハンガーである。
【考案の効果】
【０００５】  衣類干しハンガーに干した衣類の中の洗濯バサミに、下着類を隠して干す事が出来る。
下げた洗濯バサミに下着類を干すので、衣類の中の深い位置に下着類が干される事になり、風が吹いても人の目に触れない。
【考案を実施するための最良の形態】
【０００６】  以下、本考案の実施例について説明する。
衣類干しハンガーに複数個の洗濯バサミを下げる。
本考案は、以上のような構造で衣類の中に下着類を隠して干す事が出来る。
【図面の簡単な説明】
【０００７】
【図１】本考案の斜視図である。
【符号の説明】
【０００８】  １  衣類干しハンガー
２  洗濯バサミ
(57)【要約】      （修正有）【課題】開いた茶葉でフィルターが目詰まりすることがない、フィルター付きのコップ蓋を提供する。【解決手段】蓋表面に扁心して設けられた扁平の飲み口と、蓋側面に形成された環状突起と、蓋裏面に飲み口に連通した扁平筒状袋体からなりパンチングメタル状の孔を有するフィルター部とを備えたコップ蓋である。【選択図】図１
0003133629.tif 000002
【実用新案登録請求の範囲】
【請求項１】
蓋表面に扁心して設けられた扁平の飲み口と、蓋側面に形成された環状突起と、蓋裏面に飲み口に連通した扁平筒状袋体からなりパンチングメタル状の孔を有するフィルター部とを備えたコップ蓋。
【請求項２】
上記フィルター部は、コップ蓋から着脱自在であることを特徴とする請求項１に記載のコップ蓋。
【考案の詳細な説明】
【技術分野】
【０００１】
本考案は、フィルター付きのコップ蓋に関する。
【背景技術】
【０００２】
従来コップ等で茶を飲む時は急須等に茶葉を入れ、それにお湯を注ぎ、茶葉を蒸らしてからコップに移して飲用していた。これに対して急須等を省略して、直接コップに茶葉を入れお湯を注ぎ、フィルター付きの蓋をして茶葉を蒸らしてから蓋の開口部から直接茶を飲む方法が提案されている（特許文献１等）。この方法は簡便であるため使いやすく、またフィルターの掃除も簡単であるため最近普及している。
【０００３】
ところがこの種のフィルター付きの蓋では、フィルターが蓋の飲み口近辺にあるため、茶葉によりフィルターが目詰まりし十分な量の茶を飲めずストレスとなる場合が多かった。
【特許文献１】特開２００４−２３８０３７号公報
【考案の開示】
【考案が解決しようとする課題】
【０００４】
したがって本考案は、上記欠点を解消し、茶葉でフィルターが目詰まりすることがない、フィルター付きのコップ蓋を提供することを課題とする。
また本考案は、フィルター部が取り外しできるコップ蓋を提供することを課題とする。
【課題を解決するための手段】
【０００５】
本考案の課題を解決するための手段は、次のとおりである。
（１）蓋表面に扁心して設けられた扁平の飲み口と、蓋側面に形成された環状突起と、蓋裏面に飲み口に連通した扁平筒状袋体からなりパンチングメタル状の孔を有するフィルター部とを備えたコップ蓋。
（２）上記フィルター部は、コップ蓋から着脱自在であることを特徴とする（１）に記載のコップ蓋。
【考案の効果】
【０００６】
本考案のコップ蓋によれば、次のような効果がある。
（１）フィルター部と飲み口が離れているため、茶葉等が口に触れない。
（２）フィルター部が扁平筒状袋体からなるため、ろ過面を大きくすることができ、茶葉の目詰まりなどによる閉塞が起こらない。
（３）請求項２に係る考案では、フィルター部が着脱自在なため、フィルター部をコップ蓋から外して清掃したり、フィルター部のみを交換することができる。
【考案を実施するための最良の形態】
【０００７】
本考案の実施の形態について図面を参照して詳細に説明する。
図１は、本考案に係るコップ蓋を示す図面である。
図１の上図は本考案に係るコップ蓋の上面図であり、下図はその側面図である。蓋上面には飲みやすいように扁平の飲み口が偏心して設けられている。その下方にはこれに連通した扁平筒状袋体からなるフィルター部が取り付けられている。また蓋側面にはパッキン材としてシリコン等の複数条の環状突起が形成されている。
【０００８】
次に本考案のコップ蓋の使用について説明する。
図示しないコップに茶葉等を入れ、これに熱湯又は冷水等を注ぎコップ上部に本考案のコップ蓋を被せる。コップ蓋の側面にはシリコン製の環状突起が形成されているため、これがコップ上部の内面に密着する。したがって、コップを振ったり、持ち運ぶ際に中身が外に漏れることがない。またコップ蓋の飲み口から飲料を飲む際にコップを傾けた時にも、コップの中身が漏れることがない。
コップ蓋には図１にあるようにタブが取り付けられており、コップ蓋をコップから取り外す際に使用される。
【０００９】
フィルター部は、パンチングメタル状の孔が多数方眼状に形成されている。パンチングメタル状の孔の形状配置等は、使用する茶葉の大きさ等を考慮して適宜設計される。
なおスリット状の孔は、茶葉が孔をすり抜けて出てきてしまうので好ましくない。
このフィルター部により、飲料に混じった茶葉等の固形物は有効にろ過されて飲料のみをコップ蓋の飲み口から飲むことができる。
【００１０】
フィルター部は、図２のようにコップ蓋の飲み口側下部にフィルター部受部を設けこれにフィルター部を挟持させるようにして着脱自在の構造とすることができる。これによりフィルター部をコップ蓋から外して清掃したり、フィルター部のみを交換することができる。
さらにパンチングメタル状の孔の形状配置を変えた複数種類のフィルター部を用意し、茶葉の種類に応じてフィルター部を交換するようにしてもよい。
【図面の簡単な説明】
【００１１】
【図１】本考案のコップ蓋の上面図及び側面図である。
【図２】本考案のコップ蓋へのフィルター部の着脱を例示した図である。
【図１】
0003133629.tif 000003
【図２】
0003133629.tif 000004
(57)【要約】【課題】  シュレッダーにおいて、細断屑を屑収容箱にいかに多く収容するかでシュレッダーの小型化を可能とすることが出来る。細断屑を圧縮し収容量を増大させる圧縮装置を提供する。【解決手段】  シュレッダー箱体の中段に設置したベースに取付たモータと一体に駆動する円板に設けられたローラがレバーに設けた溝と係合し回転角を得、細断屑を圧縮するアームに軸を介し伝達し簡便なる方法で細断屑圧縮を可能とした。【選択図】図２
0003133971.tif 000002
【実用新案登録請求の範囲】
【請求項１】
シュレッダーの箱体の中段に設置したベース板の駆動モータに連動する圧縮アームに一定の圧力が加わった時、圧縮アームが撓み、切屑圧を圧縮アームで逃げる構造を持つ細断屑を圧縮するシュレッダーの細断屑圧縮装置。
【請求項２】
カムレバーに設けられた溝形状が可動上面と下面の溝巾が円板に設けられたローラと係合移動時、加圧の力が加わる一定の長さ、上面接面と下面接面はローラ中心と溝中心間の巾を精度良く係合し、溝の接面と反対面に間隙を取ることで全体のカムレバー溝とローラの間隙を大きく取ることが出来、細断屑圧縮アームの回転角を効率良く伝達することを可能としたシュレッダーの細断屑圧縮装置。
【考案の詳細な説明】
【技術分野】
【０００１】  本考案は、文書処理にかかるシュレッダーの細断屑を圧縮する機構を一体的に組み合わせたシュレッダー装置。
【背景技術】
【０００２】  シュレッダーに細断屑ならし機構、圧縮機構を組み合わせたシュレッダーが提案されている。【０００３】  従来の細断屑圧縮機構は羽を回転させたり、圧縮バーを上下に昇降させる単一運動による細断屑圧縮方式が一般的である。
【考案の開示】
【０００４】  出願番号  実願公開      ２００５−０１０３１２
特許公開      ２００４−２７３２５２
２００１−２９８２３
２００１−３００３３９
２０００−３０１０１４
平９−１５５２１６
平７−１３６５３６
平６−７９２５０
平６−１６２０３
平５−３３７４５３
【考案が解決しようとする課題】
【０００５】  シュレッダーにおいて細断屑を屑収容箱内に圧縮し、収容量を増大させる圧縮装置を提供する。
【課題を解決するための手段】
【０００６】  上記目的を達成するために、シュレッダーの箱体の中段にベースを設置し、モータ駆動で連動するアーム型細断屑圧縮装置を架設採用した。
［選択図２］
【０００７】  また、アーム型圧縮機構に一定以上の屑圧縮時の力が加わった時、アームが撓む構造とした。
【０００８】  また、アームの撓む位置に歪み検出するスイッチを設置した。これにより、アームの撓む量を検出し、細断屑の満杯量を安価な方法で検出することが出来た。
【考案の効果】
【０００９】  本考案によれば、細断屑を圧縮するアームを弾力ある撓みやすい構造を採用し、アームの撓みを検出し、細断屑の満杯量を容易に検出するとともに、アームに一定の力が加わった時アームが撓むので構造的に強固にする必要がなく、簡便な安価な装置にまとめることが出来た。
【図面の簡単な説明】
【００１０】
【図１】図１は本考案によるシュレッダーの要約図である。Ａはシュレッダー箱体、Ｂはカッター、Ｃは細断書類、Ｄは本考案による細断屑圧縮装置、Ｅは細断屑を示す。α１は細断屑圧縮機構アームの可動範囲を示し、Ｐ１矢視は細断屑圧縮機構アームがＥの細断屑を圧縮する方向を示している。
【図２】図２は本考案によるアーム駆動図である。１のモータに２の円板が固定され、モータ駆動によりイ矢視方向に回転する。２の円板には３のローラが設置され、４のレバーの溝と係合し、２の円板が回転することにより４のレバーは５の軸を支点としαａの角度の往復運動をする。５の軸には６のアームが複数本設けられており、４のレバーのαａの往復運動が５の軸を介し伝達されα１の角度の運動を行う。Ｐ２の矢視は６のアームにＥの細断屑により加わる力の方向を示し、一定以上の力が加わった時、α２の撓みを生ずる。Ｆは撓みを検出するスイッチで、α２の撓みを検出し、モータの電源を切り、細断屑満杯時に自動停止をさせることが出来る。
【図３】図３は本考案による４のレバーに設けられた溝についての説明図である。３のローラは４のレバーに設けられた溝と係合し、ニ矢視方向に摺動しながら円運動している。３のローラと４のレバーの溝との寸法関係はＷの溝巾の関係ではほぼ同寸であり、溝のロ面とハ面の反対面に隙間Ｇを設けた。これにより３のローラと４のレバーは細断紙粉の環境の中においても長期に渡りスムーズに摺動することを可能とした。
【図４】図４は本考案による４のレバーの駆動を示した図である。２の円板がイ矢視方向に回転すると３のローラは４のレバーの溝、ロ面をホ矢視方向に摺動し、更に２の円板が回転すると３のローラは４のレバーの溝ハ面をヘ矢視方向に摺動しαａの角度を生み出す。この時、３のローラがＨ部すなわちαａの角度の中間点では４のレバーの動作がルーズになるが、図３に示す溝形状を有することによりαａの角度はロスなく５の軸に伝達することが出来る。
【符号の説明】
【００１１】Ａ          シュレッダー箱体
Ｂ          カッター
Ｃ          細断書類
Ｄ          細断屑圧縮装置
Ｅ          細断屑
Ｆ          撓み検出スイッチ
Ｇ          隙間
Ｈ          溝の中間点
Ｗ          溝巾
αａ        レバー回転角
α１        アーム回転角
α２        アーム撓み角
１          モータ
２          円板
３          ローラ
４          レバー
５          軸
６          アーム
イ矢視      円板回転方向
ロ面        溝下面
ハ面        溝上面
ニ矢視      ローラ摺動方向
ホ矢視      ローラ移動方向
ヘ矢視      ローラ移動方向
Ｐ１矢視    細断屑圧縮方向
Ｐ２矢視    アーム圧力方向
【図１】
0003133971.tif 000003
【図２】
0003133971.tif 000004
【図３】
0003133971.tif 000005
【図４】
0003133971.tif 000006
【手続補正書】
【提出日】平成19年5月10日(2007.5.10)
【手続補正１】
【補正対象書類名】実用新案登録請求の範囲
【補正対象項目名】全文
【補正方法】変更
【補正の内容】
【実用新案登録請求の範囲】
【請求項１】
シュレッダーの箱体の中段に設置したベース板の駆動モータに連動する圧縮アームに一定の圧力が加わった時、圧縮アームが撓み、切屑圧を圧縮アームで逃げる構造を持つ細断屑を圧縮するシュレッダーの細断屑圧縮装置。
【請求項２】
カムレバーに設けられた溝形状が可動上面と下面の溝巾が円板に設けられたローラと係合移動時、加圧の力が加わる一定の長さ、上面接面と下面接面はローラ中心と溝中心間の巾を精度良く係合し、溝の接面と反対面に間隙を取ることで全体のカムレバー溝とローラの間隙を大きく取ることが出来、細断屑圧縮アームの回転角を効率良く伝達することを可能とした、カムレバーを特徴とする請求項１記載のシュレッダーの細断屑圧縮装置。
(57)【要約】【課題】飲食店舗等において使用されるコースターは、飲料の入った容器の下敷きとしての役割の他に物質的機能を有さず、また使用後は再利用されることなく廃棄されている。【解決手段】コースター本体に分離線を設け、本体を容器の下敷き部と分離片に分割ができるようにし、分離片に金券、割引券、あるいは広告媒体の機能を付すことで、コースターは飲料の入った容器の下敷きとしての機能以外に、再利用可能な機能を有することができる。【選択図】  図１
0003133975.tif 000002
【実用新案登録請求の範囲】
【請求項１】
紙から成り、本体に分離線を有し、当該分離線を境に本体は容器の下敷き部と分離片とに分割することができ、その分離片は金券又は割引券の再利用券片として、あるいは広告媒体として使用することができる特徴を持つコースター。
【請求項２】
本体は、その平面形状について、四角形、円形の他、その形状を限定しない請求項１記載のコースター。
【請求項３】
本体の有する分離線が、ミシン目、切り込み線、その他、本体の分割を容易にするための線である請求項１及び請求項２記載のコースター。
【考案の詳細な説明】
【技術分野】
【０００１】
本考案は、飲料の入った容器の下敷きとして使用されるコースターに関する。
【背景技術】
【０００２】
コースターは、飲食店舗において飲料の入った容器の下に敷く消耗備品として使用されている。
【考案の開示】
【考案が解決しようとする課題】
【０００３】
飲食店舗において使用されるコースターは、飲料の入った容器の下敷きとしての役割の他に物質的機能を有さず、また使用後は再利用されることなく廃棄されている。
【課題を解決するための手段】
【０００４】
本考案は、紙から成り、本体に分離線を有し、当該分離線を境に本体を飲料の入った容器の下敷き部と分離片とに分割することができ、分割後の分離片は再利用券片として、あるいは広告媒体として使用することができることを特徴とする。
【考案の効果】
【０００５】
本考案のコースターによって、飲料の入った容器の下敷きとしての機能以外に再利用機能が付されることにより、店舗にとっては顧客吸引力の向上、及びその話題性から新規集客効果が期待できる。また、割引券又は金券を発行している店舗であれば、本考案のコースターによって、その機能をコースターと一体にすることにより、店舗の集客広告費用を削減することも期待できる。
【考案を実施するための最良の形態】
【０００６】
本考案に係わるコースターを図１で説明する。
図１に示すように、コースター１は紙から成り、四隅の角を削り丸みを有する四角形の形状とする。しかし、コースター１はその平面形状について、四角形に限らず、その他の多角形、円形のいかなる形状でもよい。
【０００７】
コースター１は分離線４を有し、当該分離線４を境界線として容器の下敷き部２と再利用片３とに分割することができる。分離線４は切り込み線様の分割を容易にするための線である。分割後の容器の下敷き部２は、飲料の入った容器の下敷きとして利用できる。再利用片３は、割引券、金券等の再利用券として、あるいは広告媒体として、例えば書物の栞や、ポストカード等、いろいろな形態の用途が考えられ、その利用機能を限定しない。
【図面の簡単な説明】
【０００８】
【図１】本考案に係わるコースターの平面図である。
【符号の説明】
【０００９】
１  コースター
２  容器の下敷き部
３  再利用片
４  分離線
【図１】
0003133975.tif 000003
【手続補正書】
【提出日】平成19年4月23日(2007.4.23)
【手続補正１】
【補正対象書類名】実用新案登録請求の範囲
【補正対象項目名】全文
【補正方法】変更
【補正の内容】
【実用新案登録請求の範囲】
【請求項１】
紙から成るコースターで、本体にはミシン目が入っており、これにより本体をコップの下敷き部と分離片とに切り離すことができ、切り離した後の分離片は金券、割引券として利用することができる。
【手続補正２】
【補正対象書類名】明細書
【補正対象項目名】全文
【補正方法】変更
【補正の内容】
【考案の詳細な説明】
【技術分野】
【０００１】
本考案は、コップの下敷きとして使用されるコースターに関する。
【背景技術】
【０００２】
コースターは、飲食店舗において飲料の入ったコップの下に敷く消耗備品として使用されている。
【考案の開示】
【考案が解決しようとする課題】
【０００３】
飲食店舗において使用されるコースターは、飲料の入ったコップの下敷きとしての役割の他に物質的機能を有さず、また使用後は再利用されることなく廃棄されている。
【課題を解決するための手段】
【０００４】
本考案のコースターは、紙から成り、本体にはミシン目が入っており、これにより本体をコップの下敷き部と分離片とに切り離すことができ、切り離した後の分離片が金券、割引券として利用できることを特徴とする。
【考案の効果】
【０００５】
本考案のコースターによって、その新規性、及び話題性から、顧客獲得の期待ができ、また、コースター、金券及び割引券を別々に作成し使用している飲食店舗であれば、本考案のコースターによって、その機能を一体化することにより、これらにかかる作成費用の削減が期待できる。
【考案を実施するための最良の形態】
【０００６】
本考案に関わるコースターを図１で説明する。
図１に示したように、コースター１は紙から成り、平面の形状は四隅の角が丸みを帯びた四角形である。
【０００７】
コースター１は、本体にミシン目４が入っており、これにより本体をコップの下敷き部２と分離片３とに切り離すことができる。切り離した後の分離片３は、割引券、及び金券として利用することができる。
【図面の簡単な説明】
【０００８】
【図１】本考案に係わるコースターの平面図である。
【符号の説明】
【０００９】
１コースター
２コップの下敷き部
３分離片
４ミシン目
【手続補正３】
【補正対象書類名】図面
【補正対象項目名】全図
【補正方法】変更
【補正の内容】
【図１】
0003133975.tif 000004
【手続補正書】
【提出日】平成19年6月5日(2007.6.5)
【手続補正１】
【補正対象書類名】実用新案登録請求の範囲
【補正対象項目名】全文
【補正方法】変更
【補正の内容】
【実用新案登録請求の範囲】
【請求項１】
紙から成るコースターであって、本体にはミシン目が入っており、これにより本体をコップの下敷き部と分離片とに切り離すことができ、切り離した後の分離片は金券、割引券として利用できることを特徴とするコースター。
(57)【要約】      （修正有）【課題】特に水滴が付いた風呂天井の掃除を考慮した風呂天井掃除ブラシで、水滴の落下を防ぎながら且つ水滴を収集する。 【解決手段】樹脂系若しくアルミ合金製パイプ形状の柄１の先端に樹脂系パン２を取り付けた形状を成し、そのパン２の内部に脱着可能としたスポンジ３を装着したことで、掃除作業過程のなかで水滴の落下を防止しながら水滴を収集することができる。【選択図】図３
0003133979.tif 000002
【実用新案登録請求の範囲】
【請求項１】
特に水滴が付いた風呂場の天井掃除を主目的に考慮した風呂天井掃除ブラシにおいて、樹脂系若しくはアルミ合金を材料としたパイプ形状の柄の先端に樹脂系で形成したパンにスポンジを装着したもの。掃除する際不愉快にする水滴の落下を防いだ、軽量で心地よく掃除が実施できる事を特徴とした風呂天井掃除ブラシ。
【考案の詳細な説明】
【技術分野】
【０００１】
本考案は、樹脂系若しくアルミ合金製パイプもの先端に樹脂系パンを取り付けた形状をしており、そのパンの内部に取替え可能としたスポンジを装着した風呂天井掃除ブラシに関するものである。
【背景技術】
【０００２】
従来からお風呂場の掃除用ブラシはいろいろなタイプが存在するが、天井を掃除する場合水滴が多く付いている場所のため、どのタイプの掃除ブラシも水滴が垂れて作業がやりにくく嫌な気分にさせていた。また風呂場は足元が滑りやい危険な場所なので作業がやりにくい要素が安全性を左右する。そこでこの風呂天井掃除ブラシは作業時に水滴の落下を防いだことで不愉快感を与えず、且つ水滴を収集する機構を有した快適な掃除ブラシである。
【考案の開示】
【考案が解決しようとする課題】
【０００３】
昨今とも風呂場は保温性を保つ目的からも通気性に乏しいのが通常であると考える。したがって、天井に付く水滴も止むを得ない事象である。したがってこの箇所を掃除するときは多量の水滴が掃除する者に落下する。水滴落下という不愉快感を与えるこの作業は、場所がお風呂場という事もあって足元が滑りやすく危険なところなので、そのような条件化でも天井掃除が容易な作業として改善できる事は安全性の確保からも意味は大きい。
【課題を解決するための手段】
【０００４】
本考案は、樹脂系若しくアルミ合金製のパイプ(柄)の先端に樹脂系のパンを装備しその内部に脱着可能としたスポンジを装着した天井掃除用ブラシである。水滴が作業時に掃除する者に落下する事を無くし、気持ちよく掃除に集中できる事を実現し問題を解決している。
【考案の効果】
【０００５】
本考案は、水滴受けを装着した天井掃除ブラシであるために、水滴が作業時に掃除する者に落下する事をなくし、快適な掃除を可能とした。併せて掃除するときに水滴が作業する人をめがけて落下してくるという阻害要因が無くなった事で足元が滑りやすい場所での安全性を確保した。
【考案を実施するための最良の形態】
【０００６】
樹脂系若しくアルミ合金製のパイプ(柄)の先端に樹脂系のパンを取り付けた形状を成しており、そのパンの内部にスポンジを装着したことで掃除を実施しながらにして水滴を収集する機構とした。
【実施例】
【０００７】
以下添付図面にしたがって実施例を説明する。１は樹脂系若しくアルミ合金製パイプ製で柄とする部位。２は樹脂系のパンで水滴を収集し１柄の内部に誘導する役割を果たす。３は吸水掃除する脱着可能なスポンジ。
【図面の簡単な説明】
【０００８】
【図１】本考案の正面図。
【図２】本考案の側面図。
【図３】本考案の上部部分断面図。
【符号の説明】
【０００９】
１    柄
２    パン
３    スポンジ
【図１】
0003133979.tif 000003
【図２】
0003133979.tif 000004
【図３】
0003133979.tif 000005
【手続補正書】
【提出日】平成19年5月13日(2007.5.13)
【手続補正１】
【補正対象書類名】実用新案登録請求の範囲
【補正対象項目名】全文
【補正方法】変更
【補正の内容】
【実用新案登録請求の範囲】
【請求項１】
特に水滴が付いた風呂場天井の掃除において、
（１）樹脂製若しくはアルミ合金製のパイプ形状の柄
（２）柄（１）の先端に取替え可能にしたスポンジを有するパンを装着する。
以上からなる風呂天井ブラシ。